(57)【要約】【課題】  字幕の重畳されたプルダウン映像に対して、シネマモードＩＰ変換の適用を除外する対象領域を最小限に抑え、高画質化を実現可能な映像処理装置を提供する。【解決手段】  インタレース方式で入力される現入力映像ＩＮ１がプルダウン映像であるかを判定するプルダウン判定回路２ａと、現入力映像ＩＮ１及び１フレーム期間前の入力映像の同一表示座標上のそれぞれの輝度を画素単位で一定値と比較して一定値以上の輝度を有する画素を字幕画素として検出し、現入力映像ＩＮ１と１フレーム期間前の入力映像間の同一座標上の輝度レベル変化を検出する検出回路３ａと、現入力映像ＩＮ１がプルダウン映像である場合に、輝度レベル変化が検出された現入力映像ＩＮ１の字幕画素に対して動き適応型ＩＰ変換を実行し、残る画素に対してシネマモードＩＰ変換を実行する変換回路１とを備える。【選択図】    図１
2007074439.tif 000002
【特許請求の範囲】
【請求項１】
インタレース方式で入力される現入力映像がプルダウン映像であるかを判定するプルダウン判定回路と、
前記現入力映像と前記現入力映像の１フレーム期間前の入力映像間のそれぞれの輝度レベルを画素単位で一定値と比較して前記一定値以上の輝度を有する画素を字幕画素として検出し、前記現入力映像及び前記１フレーム期間前の入力映像間の同一座標上の輝度レベル変化を検出する検出回路と、
前記現入力映像がプルダウン映像である場合に、前記輝度レベル変化が検出された前記現入力映像の字幕画素に対してフィールド内順次走査線変換処理を含む走査変換処理を実行し、残る画素に対してシネマモード順次走査線変換処理を実行する変換回路
とを備えることを特徴とする映像処理装置。
【請求項２】
前記検出回路は、
前記現入力映像の輝度を前記一定値としての第１基準値と画素単位で比較して、前記現入力映像の字幕画素を検出する第１比較器と、
前記現入力映像を１フレーム分遅延させて、前記１フレーム期間前の入力映像を出力するフレーム遅延回路と、
前記１フレーム期間前の入力映像の輝度を前記一定値としての第２基準値と画素単位で比較して、前記１フレーム期間前の入力映像の字幕画素を検出する第２比較器と、
前記現入力映像と、前記１フレーム期間前の入力映像のそれぞれの輝度の差分値を画素単位で算出し、前記差分値に応じて前記輝度レベル変化を検出する輝度レベル変化検出回路
とを備えることを特徴とする請求項１に記載の映像処理装置。
【請求項３】
前記第１比較器により前記現入力映像の字幕画素が検出され、且つ前記輝度レベル変化が検出された場合に前記変換回路に対して前記フィールド内順次走査線変換処理を含む走査変換処理を実行させる制御信号を生成し、前記第２比較器により前記１フレーム期間前の入力映像の字幕画素が検出され、且つ前記輝度レベル変化が検出された場合に前記制御信号を生成する制御信号生成回路を更に備えることを特徴とする請求項２に記載の映像処理装置。
【請求項４】
前記検出回路は、
前記制御信号を積分する積分回路と、
積分された前記制御信号を第３基準値と比較する第３比較器
とを更に備えることを特徴とする請求項３に記載の映像処理装置。
【請求項５】
前記現入力映像がプルダウン映像である場合に、前記輝度レベル変化のタイミングが前記プルダウン映像のプルダウンシーケンスに一致するか判定し、前記輝度レベル変化のタイミングが前記プルダウンシーケンスに一致しない場合にのみ前記変換回路に対して前記フィールド内順次走査線変換処理を含む走査変換処理を実行させるシーケンス判定回路を更に備えることを特徴とする請求項１〜４のいずれか１項に記載の映像処理装置。
【発明の詳細な説明】
【技術分野】
【０００１】
本発明は映像処理装置に関し、特にインタレース方式の入力映像をプログレッシブ方式に変換する映像処理装置に関する。
【背景技術】
【０００２】
インタレース方式の入力映像をプログレッシブ方式に変換する手法として、動き適応型順次走査線変換（以下において、順次走査線変換を「ＩＰ変換」という。）及びシネマモードＩＰ変換が知られている。シネマモードＩＰ変換は、フレームレートが２４フレーム／秒である映画素材から、２−３プルダウンによって、フレームレートが３０フレーム／秒であるインタレース映像信号に変換された「プルダウン映像」に適用される。２−３プルダウンは、あるフィルムから２フィールドを生成し、次のフィルムから３フィールドを生成することを繰り返す処理である。プルダウン映像は、シネマモードＩＰ変換により、元のフィルムのコマが復元されるよう前後のフィールドが合成されて１フレーム分の画像が順次生成される。
【０００３】
また、映画番組等ではプルダウン映像の映画本編に字幕が多重されている場合が多い。３０フレーム／秒のフレームレートのインタレース映像である字幕が、プルダウン映像の字幕本編に多重されている場合、字幕のフレームレートが映画本編のプルダウンシーケンスに一致しないこととなる。この結果、スクロール字幕等の動きを有する字幕において、字幕が走査線方向に櫛状に乱れる現象が生じることがある。上記問題に鑑みて、入力映像がプルダウン映像であり、字幕が検出された場合に、字幕の存在する領域に対してライン単位でシネマモードＩＰ変換の適用を除外する手法が提案されている（例えば、特許文献１参照。）。
【０００４】
しかしながら、字幕の存在する領域をライン単位でシネマモードＩＰ変換の適用を除外する手法においては、シネマモードＩＰ変換の適用を除外する対象が大きく、字幕のない箇所をシネマモードＩＰ変換しないことによる映画本編の画質劣化や、字幕境界の画質の差が目立つなどの弊害ある。即ち、従来のシネマモードＩＰ変換方式では、プルダウン映像を入力として最適な処理をして高画質なプログレッシブ映像を得ることができるが、映像に字幕、特に動きを有する字幕が重畳された場合、字幕部分に画質劣化を起こすという欠点がある。また、字幕の重畳されたシネマモード映像に対してシネマモードＩＰ変換を適用した場合に高画質な映像を得ることができない。
【特許文献１】特開２００２−５７９９３号公報
【発明の開示】
【発明が解決しようとする課題】
【０００５】
本発明は、字幕の重畳されたプルダウン映像に対してシネマモードＩＰ変換の適用を除外する対象領域を最小限に抑え、高画質化を実現可能な映像処理装置を提供する。
【課題を解決するための手段】
【０００６】
本発明の一態様は、インタレース方式で入力される現入力映像がプルダウン映像であるかを判定するプルダウン判定回路と、現入力映像と現入力映像の１フレーム期間前の入力映像間のそれぞれの輝度レベルを画素単位で一定値と比較して一定値以上の輝度を有する画素を字幕画素として検出し、現入力映像及び１フレーム期間前の入力映像間の同一座標上の輝度レベル変化を検出する検出回路と、現入力映像がプルダウン映像である場合に、輝度レベル変化が検出された現入力映像の字幕画素に対してフィールド内順次走査線変換処理を含む走査変換処理を実行し、残る画素に対してシネマモード順次走査線変換処理を実行する変換回路とを備える映像処理装置であることを要旨とする。
【発明の効果】
【０００７】
本発明によれば、変化のない字幕を重畳された映像に対しては常時シネマモードＩＰ変換処理をして高画質な映像を提供すると共に、変化のある字幕を重畳された映像に対しては、シネマモードＩＰ変換の適用を除外する対象領域を最小限に抑え、高画質化を実現可能な映像処理装置を提供できる。
【発明を実施するための最良の形態】
【０００８】
次に、図面を参照して、本発明の第１及び第２実施形態を説明する。以下の第１及び第２実施形態における図面の記載において、同一又は類似の部分には同一又は類似の符号を付している。
【０００９】
（第１実施形態）
本発明の第１実施形態に係る映像処理装置は、図１に示すように、変換回路１、プルダウン判定回路２ａ、検出回路３ａ、及びスイッチ回路ＳＷを備える。プルダウン判定回路２ａは、インタレース方式で入力される現入力映像ＩＮ１がプルダウン映像であるかを判定する。ここで、「プルダウン映像」とは、２−３プルダウン等によりフレームレートが変換された映像を意味する。検出回路３ａは、現入力映像ＩＮ１及び現入力映像ＩＮ１の１フレーム期間前の入力映像のそれぞれの輝度を画素単位で一定値と比較して一定値以上の輝度を有する画素を字幕画素として検出し、現入力映像ＩＮ１及び１フレーム期間前の入力映像の同一表示座標上のそれぞれの字幕画素の表示映像上でのレベル変化を検出する。「字幕画素」とは表示映像上で字幕の一部となる画素を意味する。変換回路１は、現入力映像ＩＮ１がプルダウン映像である場合に、レベル変化が検出された現入力映像ＩＮ１の字幕画素に対してフィールド内順次走査線変換処理を含む走査変換処理（動き適応型ＩＰ変換）を行い、残る画素に対してシネマモード順次走査線変換処理（ＩＰ変換）を行う。「動き適応型ＩＰ変換」とは、画像の静止領域では前後のフィールド情報を用いて飛び越された走査線を補間し、動領域では上下の走査線情報を用いて走査線補間し、それらを画像の動き量に応じて切替える手法を意味する。即ち、画像の動き情報に応じてフィールド間補間とフィールド内補間を切替える方法である。「シネマモードＩＰ変換」とは、画像の静動に関わらず元のフィルムのコマを復元するように常にフィールド間で走査線補間を行う方法である。
【００１０】
シネマモードＩＰ変換の場合には、画像の静動に関わらず、常に現在のフィールド画像と前後いずれか所定のフィールド画像だけを用いて、理想的な走査線補間が可能となる。これに対して動き適応型ＩＰ変換においては、元のフィルムのコマを復元するようなフィールド対の情報を検知しないのでプルダウン映像の処理では画質が劣化する場合がある。
【００１１】
第１実施形態に係る映像処理装置は、字幕すべてが画質劣化を起こすのではなく、移動しない字幕や表示したままの字幕では画質劣化が起こらない点を考慮して、変化を有する字幕画素のみをシネマモードＩＰ変換から除外する。即ち、第１実施形態に係る映像処理装置は、字幕変化画素（点）の変化の一瞬のみをシネマモードＩＰ変換の除外対象としている。
【００１２】
また、プルダウン判定回路２ａは、現入力映像ＩＮ１がプルダウン映像である場合、例えばハイレベルのプルダウン判定信号Ｓ１を出力し、現入力映像ＩＮ１がプルダウン映像でない場合、例えばロウレベルのプルダウン判定信号Ｓ１を出力する。スイッチ回路ＳＷは、検出回路３ａからの切替制御信号Ｓ２に応じて、プルダウン判定回路２ａからのプルダウン判定信号Ｓ１を変換回路１に伝達するか否か切替える。スイッチ回路ＳＷは、例えば、検出回路３ａからの切替制御信号Ｓ２がハイレベル時に非導通状態となり、ロウレベル時に導通状態となる。スイッチ回路ＳＷが非導通状態である場合、選択回路１３にはロウレベルのＩＰ変換方式選択信号Ｓ３が供給される。
【００１３】
更に、変換回路１は、動き適応型ＩＰ変換回路１１、シネマモードＩＰ変換回路１２、及び選択回路１３を備える。動き適応型ＩＰ変換回路１１は現入力映像ＩＮ１に対して動き適応型ＩＰ変換を実行する。シネマモードＩＰ変換回路１２は現入力映像ＩＮ１に対してシネマモードＩＰ変換を実行する。選択回路１３は、スイッチ回路ＳＷにより供給されるＩＰ変換方式選択信号Ｓ３に応じて、動き適応型ＩＰ変換回路１１及びシネマモードＩＰ変換回路１２の各出力のいずれかを選択する。選択回路１３は、例えば、スイッチ回路ＳＷにより伝達されるＩＰ変換方式選択信号Ｓ３がハイレベル時にシネマモードＩＰ変換回路１２を選択し、ＩＰ変換方式選択信号Ｓ３がロウレベル時に動き適応型ＩＰ変換回路１１を選択する。
【００１４】
検出回路３ａは、詳細には図２に示すように、フレーム遅延回路３１、第１比較器３２、第２比較器３３、輝度レベル変化検出回路３４、及び制御信号生成回路３５を備える。第１比較器３２は、現入力映像ＩＮ１の輝度を画素単位で第１基準値ＴＨ１と比較して字幕画素を検出する。フレーム遅延回路３１は、現入力映像ＩＮ１を１フレーム分遅延させる。第２比較器３３は、遅延した（１フレーム期間前の）入力映像ＩＮ２の輝度を画素単位で第２基準値ＴＨ２と比較して字幕画素を検出する。
【００１５】
尚、第１基準値ＴＨ１及び第２基準値ＴＨ２は、例えば互いに等しい値に設定される。第１比較器３２が字幕画素を検出した場合、例えばハイレベルの字幕画素検出信号Ｄ１が出力される。第２比較器３３が字幕画素を検出した場合、例えばハイレベルの字幕画素検出信号Ｄ２が出力される。
【００１６】
更に、輝度レベル変化検出回路３４は、現入力映像ＩＮ１と、１フレーム期間前の入力映像ＩＮ２のそれぞれの輝度の差分値を画素単位で算出し、差分値に応じて字幕画素の輝度レベル変化を検出する。輝度レベル変化検出回路３４が輝度レベル変化を検出した場合、例えば、ハイレベルのレベル変化画素検出信号Ｄ３が出力される。
【００１７】
制御信号生成回路３５は、第１比較器３２が字幕画素を検出し、且つ輝度レベル変化検出回路３４により（字幕画素の）輝度レベル変化が検出された場合に切替制御信号Ｓ２を生成する。同様に制御信号生成回路３５は、第２比較器３３が字幕画素を検出し、且つ輝度レベル変化検出回路３４により（字幕画素の）輝度レベル変化が検出された場合に切替制御信号Ｓ２を生成する。
【００１８】
また、フレーム遅延回路３１は、フィールド遅延回路３１１及びフィールド遅延回路３１２を備える。フィールド遅延回路３１１及びフィールド遅延回路３１２のそれぞれは、１フィールド分の現入力映像ＩＮ１を保持・遅延する。
【００１９】
輝度レベル変化検出回路３４は、減算器３４１、絶対値算出回路３４２、及び輝度レベル変化検出用比較器３４３を備える。減算器３４１は、現入力映像ＩＮ１と、１フレーム分遅延した入力映像ＩＮ２のそれぞれの輝度を差分処理する。絶対値算出回路３４２は、減算器３４１が算出した差分値の絶対値を求める。輝度レベル変化検出用比較器３４３は、減算器３４１が算出した差分値の絶対値を輝度レベル変化検出用基準値ＴＨ３と比較し、比較結果に応じて輝度レベル変化画素を検出する。
【００２０】
制御信号生成回路３５は、例えば、第１ＡＮＤ回路３５１、第２ＡＮＤ回路３５２、及びＯＲ回路３５３を備える。第１ＡＮＤ回路３５１は、第１比較器３２及び輝度レベル変化検出用比較器３４３の各出力をＡＮＤ演算する。第１比較器３２及び輝度レベル変化検出用比較器３４３の各出力がハイレベルのとき、即ち現入力映像ＩＮ１に字幕画素が検出され、且つ、検出された字幕画素が１フレーム前の同一位置に存在しないとき、ハイレベルの字幕変化検出信号Ａ１が出力される。
【００２１】
第２ＡＮＤ回路３５２は、第２比較器３３及び輝度レベル変化検出用比較器３４３の各出力をＡＮＤ演算する。第２比較器３３及び動き検出用比較器３４３の各出力がハイレベルのとき、即ち１フレーム期間前の入力映像ＩＮ２に字幕画素が検出され、且つ、検出された字幕画素が現入力映像ＩＮ１の同一位置に存在しないとき、ハイレベルの字幕変化検出信号Ａ２が出力される。
【００２２】
ＯＲ回路３５３は、字幕変化検出信号Ａ１及びＡ２の少なくとも一方が生成される場合にハイレベルの切替制御信号Ｓ２を生成し、生成した切替制御信号Ｓ２を図１に示すスイッチ回路ＳＷに供給する。
【００２３】
尚、現入力映像ＩＮ１は、例えばテレビジョン放送の受信装置、光ディスク再生装置、又は磁気式再生装置（ビデオテープレコーダ）等から供給される。選択回路１３からの出力映像信号ＯＵＴは、例えば液晶ディスプレイ・パネル（ＬＣＤ）又はプラズマ・ディスプレイ・パネル（ＰＤＰ）等のフラット・パネル等に伝達される。
【００２４】
次に、図３に示すタイムチャートを参照して、本発明の第１実施形態に係る映像処理装置の動作例を説明する。但し、映像処理装置に対し、図３の時刻ｔ３〜ｔ６の期間にプルダウン映像が入力され、時刻ｔ３〜ｔ６の期間以外の期間においてプルダウン映像でない通常の映像信号が入力される場合を例に説明する。また、図３の時刻ｔ１〜ｔ２及びｔ４〜ｔ５の各期間において動きを有する字幕画素が検出される場合について説明する。
【００２５】
（Ａ）図３（ｂ）に示すように、図１に示す検出回路３ａは、図３の時刻ｔ１〜ｔ２の期間において字幕変化を検出してハイレベルの切替制御信号Ｓ２を生成する。一方、図３の時刻ｔ３までの期間においては、現入力映像ＩＮ１として通常の映像信号が入力されているため、図１に示すプルダウン判定回路２ａは、図３（ａ）に示すように、ロウレベルのプルダウン判定信号Ｓ１を出力する。この結果、スイッチ回路ＳＷからのＩＰ変換方式選択信号Ｓ３は、図３（ｃ）の時刻ｔ３までの期間においてロウレベルに保たれる。したがって、図３（ｄ）に示すように、時刻ｔ３までの期間においては、選択回路１３の出力映像信号ＯＵＴとしては、動き適応型ＩＰ変換された映像信号が出力される。
【００２６】
（Ｂ）図３の時刻ｔ３において、現入力映像ＩＮ１としてプルダウン映像が入力されると、図３（ａ）に示すように、プルダウン判定回路２ａはハイレベルのプルダウン判定信号Ｓ１を出力する。時刻ｔ３ではスイッチ回路ＳＷが導通状態であるため、図３（ｃ）に示すように、スイッチ回路ＳＷからのＩＰ変換方式選択信号Ｓ３はハイレベルとなる。よって、図３（ｄ）に示すように、選択回路１３の出力映像信号ＯＵＴとしては、シネマモードＩＰ変換された映像信号が出力される。
【００２７】
（Ｃ）図３の時刻ｔ４〜ｔ５の期間において、動きを有する字幕画素が検出されると、図３（ｂ）に示すように切替制御信号Ｓ２が動きを有する字幕画素のみハイレベルとなる。この結果、スイッチ回路ＳＷが非導通状態となり、図３（ｃ）に示すように、スイッチ回路ＳＷからのＩＰ変換方式選択信号Ｓ３がロウレベルとなる。スイッチ回路ＳＷからのＩＰ変換方式選択信号Ｓ３がロウレベルとなると、図３（ｄ）に示すように、選択回路１３の出力映像信号ＯＵＴとしては、シネマモードＩＰ変換された映像信号が出力される。
【００２８】
（Ｄ）図３の時刻ｔ６において、現入力映像ＩＮ１としてプルダウン映像が入力されなくなると、図３（ａ）に示すプルダウン判定信号Ｓ１がロウレベルとなり、スイッチ回路ＳＷからのＩＰ変換方式選択信号Ｓ３も図３（ｃ）に示すようにロウレベルとなる。よって、選択回路１３の出力映像信号ＯＵＴとしては、動き適応型ＩＰ変換された映像信号が出力される。
【００２９】
このように、本発明の第１実施形態に係る映像処理装置によれば、映画画面の大部分は高画質化のためシネマモードＩＰ変換を保ったまま、画質劣化を引き起こす（領域的、時間的）一部の字幕画素の画質劣化を防いで、違和感のない良好な映像を得ることができる。また、プルダウン映像上に重畳された通常ビデオ字幕の画質劣化、例えば字幕スクロールが櫛状に表示されて文字の判読が困難になることや字幕の出現又は消滅時に字幕が一瞬すだれ状になることを回避できる。
【００３０】
（第１実施形態の変形例）
本発明の第１実施形態の変形例に係る映像処理装置として、図４に示すように、検出回路３ｂが、積分回路３６及び第３比較器３７を更に備える構成でも良い。即ち、第１実施形態の変形例においては、単一画素の情報のみでなく、積分して周囲画素の情報を集めてから判定する構成を採用する。
【００３１】
また、積分回路３６は、ＯＲ回路３５３が出力する切替制御信号Ｓ２ａを積分する。第３比較器３７は、積分回路３６による積分結果を第３基準値ＴＨ４と比較し、積分回路３６が積分した切替制御信号が、第３基準値ＴＨ４よりも大きい場合に切替制御信号Ｓ２ｂを出力する。
【００３２】
字幕にはある程度の大きさがあるために、第１実施形態の変形例に係る映像処理装置によれば、周囲画素の情報を考慮してＩＰ変換方式の切替制御を行うので、より高精度にＩＰ変換方式の切替制御を行うことができる。
【００３３】
（第２実施形態）
本発明の第２実施形態に係る映像処理装置は、図５に示すように、スイッチ回路ＳＷに代えてシーケンス判定回路５を備える点が図１と異なる。プルダウン判定回路２ｂが、プルダウン映像のプルダウンシーケンスを示すシーケンス信号Ｓ４を更に生成する点が図１と異なる。ここで、「プルダウンシーケンス」とは、例えば２−３プルダウンの場合、あるフィルムから生成された２フィールドの画像うちの最初のフィールドのタイミング、及び次のフィルムから生成された３フィールドの画像のうちの最初のフィールドのタイミングのそれぞれを意味する。即ち、プルダウンされた信号に対して、元のフィルムのコマの切り替わり目を表す。
【００３４】
また、シーケンス判定回路２２は、検出回路３ａが出力する切替制御信号Ｓ２と、シーケンス信号Ｓ４に基づいて、字幕画素の輝度レベル変化のタイミングがプルダウンシーケンスに一致するか判定し、字幕画素の位置変化のタイミングがプルダウンシーケンスに一致しない場合に変換回路１に対して動き適応型ＩＰ変換を実行させる。
【００３５】
このように、字幕画素の輝度レベルがプルダウン映像のシーケンスに一致せずに変化する場合にシネマモードＩＰ変換処理を適用することで字幕画質劣化が発生することを考慮し、字幕画素の位置変化タイミングがプルダウンシーケンスに一致するか否かを判定する構成である。
【００３６】
次に、図６に示すタイムチャートを参照して、本発明の第２実施形態に係る映像処理装置の動作例を説明する。但し、説明の簡略化のため、図３（ａ）に示す各フィルムイメージが輝度の低い画像であり、各フィルムイメージの下部領域の広い範囲に字幕が多重される場合を例に説明する。また、字幕変化のタイミングが、プルダウンシーケンスに一致している場合について説明する。尚、図６（ｄ）に示す「シーケンスＩＤ」は、２つのフィルムイメージから２−３プルダウンにより生成された５つのフィールド単位で割り当てる識別子（ＩＤ）である。
【００３７】
（Ａ）図６の時刻ｔ１〜ｔ３の期間においては、図６（ａ）に示すように映画素材のフィルムＡに字幕が多重されていない。よって、図６（ｃ）に示す現入力映像ＩＮ１の輝度レベルは、図６（ｆ）に示すように低い値となる。
【００３８】
（Ｂ）図６の時刻ｔ３〜ｔ４の期間において、図５に示す検出回路３ａは、現入力映像ＩＮ１の字幕を検出する。更に、検出回路３ａは、検出された字幕が、１フレーム期間前の入力映像ＩＮ２中にも存在するか判定する。時刻ｔ１〜ｔ２の期間に字幕が存在しないので、図６（ｇ）に示すように、検出回路３ａはハイレベルの切替制御信号Ｓ２を生成する。切替制御信号Ｓ２は、図５に示すシーケンス判定回路５に供給される。
【００３９】
シーケンス判定回路５は、字幕変化のタイミングが、プルダウンシーケンスに一致するか否か判定する。図６（ｅ）及び（ｇ）に示すように、字幕変化のタイミングが、プルダウンシーケンスに一致している（画素単位で切替制御信号Ｓ２が現フィールドと次フィールドハイレベルになることが、シーケンス信号Ｓ４のハイレベル期間から始まる）ので、ロウレベルのＩＰ変換方式選択信号Ｓ３を選択回路１３に供給する。この結果、選択回路１３は、動き適応型ＩＰ変換回路１１を選択せずにシネマモードＩＰ変換回路１２を選択する。
【００４０】
（Ｃ）図６の時刻ｔ４〜ｔ５の期間において、検出回路３ａは、現入力映像ＩＮ１の字幕を検出する。更に、検出回路３ａは、検出された字幕が、１フレーム期間前の入力映像ＩＮ２中にも存在するか判定する。この場合、時刻ｔ２〜ｔ３の期間に字幕が存在しないので、図６（ｇ）に示すように、検出回路３ａは字幕変化を検出してハイレベルの切替制御信号Ｓ２を生成する。しかし、字幕変化のタイミングが、プルダウンシーケンスに一致しているので、シーケンス判定回路５は、ロウレベルのＩＰ変換方式選択信号Ｓ３を生成する。よって、選択回路１３は、動き適応型ＩＰ変換回路１１を選択せずにシネマモードＩＰ変換回路１２を選択する。
【００４１】
次に、図７に示すタイムチャートを参照して、字幕変化のタイミングが、プルダウンシーケンスに一致していない場合の動作例を説明する。図７（ｂ）に示すプルダウン映像には、図７（ｄ）に示すように、プルダウンシーケンスと非同期に字幕が重畳されている。
【００４２】
（Ａ）図７の時刻ｔ１〜ｔ４の期間においては、図７（ｂ）及び（ｃ）に示すように、プルダウン映像に字幕が多重されていない。よって、図７（ｄ）に示す現入力映像ＩＮ１の輝度レベルは、図７（ｇ）に示すように低い値となる。
【００４３】
（Ｂ）図７の時刻ｔ４〜ｔ５の期間において、図５に示す検出回路３ａは、現入力映像ＩＮ１の字幕を検出する。更に、検出回路３ａは、検出された字幕が、１フレーム期間前の入力映像ＩＮ２中にも存在するか判定する。時刻ｔ２〜ｔ３の期間に字幕が存在しないので、図７（ｈ）に示すように、検出回路３ａはハイレベルの切替制御信号Ｓ２を生成する。切替制御信号Ｓ２は、図５に示すシーケンス判定回路５に供給される。
【００４４】
シーケンス判定回路５は、字幕変化のタイミングが、プルダウンシーケンスに一致するか否か判定する。図７（ｆ）及び（ｈ）に示すように、字幕変化のタイミングが、プルダウンシーケンスに一致していない（画素単位で切替制御信号Ｓ２が現フィールドと次フィールドハイレベルになることが、シーケンス信号Ｓ４のローレベル期間から始まる）ので、図７（ｉ）に示すように、ハイレベルのＩＰ変換方式選択信号Ｓ３を選択回路１３に供給する。この結果、選択回路１３は、ハイレベルのＩＰ変換方式選択信号Ｓ３によって動き適応型ＩＰ変換回路１１を選択する。
【００４５】
（Ｃ）図７の時刻ｔ５〜ｔ６の期間において、検出回路３ａは、現入力映像ＩＮ１の字幕を検出する。更に、検出回路３ａは、検出された字幕が、１フレーム期間前の入力映像ＩＮ２中にも存在するか判定する。この場合、時刻ｔ３〜ｔ４の期間に字幕が存在しないので、図７（ｈ）に示すように、検出回路３ａは字幕変化を検出してハイレベルの切替制御信号Ｓ２を生成する。更に、字幕変化のタイミングが、プルダウンシーケンスに一致していないので、シーケンス判定回路５は、ハイレベルのＩＰ変換方式選択信号Ｓ３を生成する。よって、選択回路１３は、ＩＰ変換方式選択信号Ｓ３がハイレベルの期間において動き適応型ＩＰ変換回路１１を選択する。
【００４６】
上述したように、本発明の第２実施形態に係る映像処理装置によれば、プルダウン映像に字幕画素の位置変化が検出されても、字幕画素の位置変化のタイミングがプルダウンシーケンスに一致する場合はシネマモードＩＰ変換を行うように制御できる。即ち、字幕画素の輝度レベル変化が検出され、且つ、輝度レベル変化のタイミングがプルダウンシーケンスに則っていない場合にのみ例外的に動き適応型ＩＰ変換を実行する。したがって、字幕画質の劣化を最小限に抑えることができる。例えば、字幕も映画本編である映像、即ち映画本編フィルム上に焼き付けられた字幕を有する映像を変換したプルダウン映像に対しては常にシネマモードＩＰ変換を適用して高画質な映像を得ることができる。
【００４７】
（その他の実施形態）
上記のように、本発明は第１及び第２実施形態によって記載したが、この開示の一部をなす論述及び図面はこの発明を限定するものであると理解すべきではない。この開示から当業者には様々な代替実施形態、実施例及び運用技術が明らかとなろう。
【００４８】
上述した第１実施形態に係る映像処理装置の説明においては、ＩＰ変換方式の切替制御にスイッチ回路ＳＷを利用する一例を説明したが、スイッチ回路ＳＷに代えて、同等の論理を実現する論理回路によりＩＰ変換方式の切替制御を行っても良い。或いは、選択回路１３にスイッチ回路ＳＷの機能を実行させる構成でも良い。また、それぞれのＩＰ変換処理結果を混合する構成でも良い。
【００４９】
第１及び第２実施形態での各基準値ＴＨ１，ＴＨ２，ＴＨ３，ＴＨ４を画面の平均輝度レベルや画面全体の動きの程度を表す量等に応じて適宜変更しても良い。
【００５０】
更に、第１及び第２実施形態に係る映像処理装置は、同一の半導体チップ上にモノリシックに集積化して半導体集積回路として構成可能である。
【００５１】
このように本発明は、ここでは記載していない様々な実施形態等を包含するということを理解すべきである。したがって、本発明はこの開示から妥当な特許請求の範囲の発明特定事項によってのみ限定されるものである。
【図面の簡単な説明】
【００５２】
【図１】本発明の第１実施形態に係る映像処理装置の構成例を示すブロック図である。
【図２】本発明の第１実施形態に係る検出回路の構成例を示すブロック図である。
【図３】本発明の第１実施形態に係る映像処理装置の動作例を示すタイムチャートである。
【図４】本発明の第１実施形態の変形例に係る検出回路の構成例を示すブロック図である。
【図５】本発明の第２実施形態に係る映像処理装置の構成例を示すブロック図である。
【図６】本発明の第２実施形態に係る映像処理装置の動作例を示すタイムチャートである。
【図７】本発明の第２実施形態に係る映像処理装置の動作例を示すタイムチャートである。
【符号の説明】
【００５３】
１…ＩＰ変換回路
２ａ，２ｂ…判定回路
３ａ，３ｂ…検出回路
２１…プルダウン判定回路
２２…シーケンス判定回路
３１…フレーム遅延回路
３２…第１比較器
３３…第２比較器
３４…輝度レベル変化検出回路
３５…制御信号生成回路
３６…積分回路
３７…第３比較器
【図１】
2007074439.tif 000003
【図２】
2007074439.tif 000004
【図３】
2007074439.tif 000005
【図４】
2007074439.tif 000006
【図５】
2007074439.tif 000007
【図６】
2007074439.tif 000008
【図７】
2007074439.tif 000009